(57)【要約】  本発明は、デスクリプタ（２２、２２’）とデスクリプタ（２２、２２’）の音声学的記述を包含する少なくとも１つのエントリ（２４、２４’）とを含む少なくとも１つのデータレコード（２０、２０’）を包含するメモリ（１０）から少なくとも１つのデータレコード（２０、２０’）を検出及び出力するための方法及び装置（１）に関し、ここで、少なくとも１つのデータレコード（２０、２０’）を指示する名称が、文字形式で入力される。本発明によれば、入力された名称の音声学的記述を生成するために、文字形式で入力された名称は音声学的に書き換えられ、入力名称の音声学的記述が、それぞれのデータレコード（２０、２０’）の少なくとも１つのエントリ（２４、２４’）におけるデスクリプタ（２２、２２’）の音声学的記述と比較され、そして、デスクリプタ（２２、２２’）の音声学的記述を含む少なくとも１つのエントリ（２４、２４’）が、予め決定できる程度の確率を伴って入力名称の音声学的記述に対応する少なくとも１つのデータレコード（２０、２０’）が決定及び出力される。
2009517747.tif 000002
【特許請求の範囲】
【請求項１】
デスクリプタ（２２、２２’）と前記デスクリプタ（２２、２２’）の音声学的記述を備えた少なくとも１つのエントリ（２４、２４’）とを含む少なくとも１つのデータレコード（２０、２０’）を有するメモリ（１０）からデータレコード（２０、２０’）を検出及び出力するための方法であって、
少なくとも１つのデータレコード（２０、２０’）を示す名称が、文字形式で入力され、
入力名称の音声学的記述を生成するために、文字形式で入力された前記名称の音声学的書き換えを実行し、
前記入力名称の音声学的記述を、それぞれの前記データレコード（２０、２０’）の少なくとも１つのエントリ（２４、２４’）の音声学的記述と比較し、
デスクリプタ（２２、２２’）の音声学的記述を備えた少なくとも１つのエントリ（２４、２４’）が、規定できる程度の確率を伴って前記入力名称の音声学的記述に一致する少なくとも１つのデータレコード（２０、２０’）を確認及び出力すること、
を特徴とする方法。
【請求項２】
前記音声学的書き換えが、文字形式で入力された文字及び／又は文字形式で入力された文字群を音素に割り当てることで、名称の音声学的記述が、少なくとも１つの音素を含む音素列によって表わされることを特徴とする、請求項１に記載の方法。
【請求項３】
少なくとも１つの第１のデータレコード（２０）のデスクリプタ（２２、２２’）及び／又はデスクリプタ（２２、２２’）の音声学的記述が、少なくとも第１の言語で格納され、少なくとも１つの第２のデータレコード（２０’）のデスクリプタ（２２、２２’）及び／又はデスクリプタ（２２、２２’）の音声学的記述が、少なくとも第２の言語で格納され、データレコード（２０、２０’）を確認するための少なくとも１つの言語が規定されて、自身のデスクリプタ言語が前記少なくとも１つの規定された言語と一致するデータレコード（２０、２０’）だけが出力されることを特徴とする、請求項１又は２に記載の方法。
【請求項４】
文字形式で入力された名称の音声学的書き換えが、少なくとも１つの言語で実行され、前記少なくとも１つの言語が、音声学的書き換えのために、及び／又は音声学的記述の比較のために規定されることを特徴とする、請求項１〜３のいずれか一項に記載の方法。
【請求項５】
可能性があるデータレコード（２０、２０’）が、文字形式での入力中に確認されて、分類リストとして出力され、前記可能性があるデータレコード（２０、２０’）を備えたリストが、さらなる文字の入力中に連続的に減少されることを特徴とする、請求項１〜４のいずれか一項に記載の方法。
【請求項６】
確認されたデータレコード（２０、２０’）が、アルファベット順に、及び／又は関連づけられた確率程度によって分類されることを特徴とする、請求項５に記載の方法。
【請求項７】
前記メモリ（１０）に格納された少なくとも１つのデータレコード（２０、２０’）が、ナビゲーションシステム（８０）用の可能性がある目的地を表わし、前記少なくとも１つのデータレコード（２０、２０’）が、町名及び／又は道路名及び／又はＰＯＩ名をデスクリプタとして含み、１つのデータレコードが、前記ナビゲーションシステム（８０）用の目的地として、確認及び出力されたデータレコード（２０、２０’）から選択されることを特徴とする、請求項１〜６のいずれか一項に記載の方法。
【請求項８】
前記少なくとも１つのデータレコード（２０、２０’）が、関連づけられた目的地についての情報（２６、２６’）を含むことを特徴とする、請求項７に記載の方法。
【請求項９】
データレコード（２０、２０’）を確認するための、及び／又は前記音声学的書き換えのための少なくとも１つの言語が、前記ナビゲーションシステム（８０）の地理的位置に基づいて規定されることを特徴とする、請求項７又は８に記載の方法。
【請求項１０】
デスクリプタ（２２、２２’）と前記デスクリプタ（２２、２２’）の音声学的記述を備えた少なくとも１つのエントリ（２４、２４’）とを含む少なくとも１つのデータレコードを格納するメモリ（１０）からデータレコードを検出及び出力するための、請求項１〜９のいずれか一項に記載の方法を実行するための装置であり、少なくとも１つのデータレコード（２０、２０’）を示す名称を文字形式で入力するための入力ユニット（３０）を有し、かつ確認されたデータレコード（２０、２０’）を出力するための出力ユニット（６０）を有する装置であって、
入力名称の音声学的記述を生成するために、文字形式で入力された前記名称の音声学的書き換えを実行する変換ユニット（４０）と、前記入力名称の音声学的記述を、それぞれのデータレコード（２０、２０’）の少なくとも１つのエントリ（２４、２４’）におけるデスクリプタ（２２、２２’）の音声学的記述と比較し、かつ少なくとも１つのデータレコード（２０、２０’）であって、前記デスクリプタ（２２、２２’）の音声学的記述を備えたエントリ（２４、２４’）が、規定できる程度の確率を伴って前記入力名称の音声学的記述と一致する少なくとも１つのデータレコード（２０、２０’）を確認し、かつ前記少なくとも１つの確認されたデータレコード（２０、２０’）を前記出力ユニット（６０）へ送信する評価及び制御ユニット（５０）と、を特徴とする装置。
【請求項１１】
前記メモリ（１０）に格納された少なくとも１つのデータレコード（２０、２０’）が、ナビゲーションシステム（８０）用の目的地を表わし、前記少なくとも１つのデータレコード（２０、２０’）が、町名及び／又は道路名及び／又はＰＯＩ名をデスクリプタ（２２、２２’）として含み、１つのデータレコード（２０、２０’）を、前記ナビゲーションシステム（８０）用の目的地として、確認及び出力されたデータレコード（２０、２０’）から選択できることを特徴とする、請求項１０に記載の装置。
【請求項１２】
前記装置の地理的位置を確認する位置検出ユニット（７０）を特徴とする、請求項１０又は１１に記載の装置。
【発明の詳細な説明】
【技術分野】
【０００１】
本発明は、請求項１の前段に従うメモリからデータレコードを検出及び出力するための方法並びに関連する装置に関する。
【背景技術】
【０００２】
特許文献１は、目的地住所をルート計画システムに音声入力するための方法及び装置を記載している。記載された方法は、ユーザからの口頭発声を、音声認識装置を用いて認識し、入力口頭発声をそれらの認識確率に基づいて分類し、最大認識確率を備えた口頭発声を入力口頭発声として識別する。用いられるデータベースは、ルート計画システムにおける全ての可能性がある目的地住所及び可能性がある目的地住所に関する特定の補足情報を含む目的地ファイルであるが、前記情報には、たとえば音声学的記述が含まれる。音声学的記述の代わりに、一連の指標の形式をした音声学的記述の書き換えを音声認識装置用に用いることができる。さらに、住所データ用の音声学的記述を有しない外部データソースからのデータを音声認識装置のボキャブラリに採用できるように、例外表を組み込んだ正字法形式の名称から音声学的記述への、規則に基づいた変換を実行するいわゆる自動音声学的書き換えを提供することができる。
【０００３】
【特許文献１】独国特許発明第１９７０９５１８Ｃ１号明細書
【発明の開示】
【発明が解決しようとする課題】
【０００４】
本発明の目的は、文字形式における同音デスクリプタの正字法的に誤った（つづりの誤った）入力を許容するメモリからデータレコードを検出及び出力するための方法及び装置を規定して、関係するデスクリプタの正確なスペルについての不十分な知識にもかかわらず、正確な関連するデータレコードが、ユーザのために出力されるようにすることである。
【課題を解決するための手段】
【０００５】
本発明は、請求項１の特徴を有するメモリからデータレコードを検出及び出力するための方法を提供することによって、及び請求項１０の特徴を有するメモリからデータレコードを検出及び出力するための装置によって、この目的を達成する。
【０００６】
本発明の有利な実施形態及び発展は、従属項で規定される。
【０００７】
本発明に従い、デスクリプタとデスクリプタの音声学的記述を備えた少なくとも１つのエントリとを含む少なくとも１つのデータレコードを有するメモリからデータレコードを検出及び出力する方法によって、入力名称の音声学的記述を生成するために、文字形式で入力された名称の音声学的書き換えが実行される。少なくとも１つのデータレコードであって、デスクリプタの音声学的記述を備えた少なくとも１つのエントリが、規定できる程度の確率を伴って入力名称の音声学的記述と一致する少なくとも１つのデータレコードを確認するために、入力名称の音声学的記述が、それぞれのデータレコードの少なくとも１つのエントリにおける、デスクリプタの音声学的記述と比較される。これによって、ユーザは、まるでユーザが名称を音響的にまさに理解しているように名称が書かれているかのように、名称たとえば地名を不正確に書くことができるようになる。有利なことに、書き込まれた入力を音声学的記述に変換することによって、書き込まれた入力と同様にデスクリプタが発音されるデータレコードに、書き込まれた「擬似音声学的」入力を関連付けることが可能になる。したがって、たとえば書き込まれた入力「Ｆａｊｏｎｓ」に対して、デスクリプタ「ファイアンス（Ｆａｙｅｎｃｅ）」を備えたデータレコードを、メモリからユーザへ出力することを含むことが可能になるが、これは、フランスの場所を示している。すなわち、入力名称のスペルについての不十分な知識にもかかわらず、関連するデータレコードを備えた正確な名称がユーザに出力される。
【０００８】
音声学的書き換えは、例として、文字形式で入力された文字及び／又は文字形式で入力された文字群を音素に割り当て、その結果、名称の音声学的記述は、少なくとも１つの音素を含む音素列によって表わされる。
【０００９】
本発明の方法の１つの改良において、少なくとも１つの第１のデータレコードのデスクリプタ及び／又はデスクリプタの音声学的記述が、少なくとも１つの第１の言語で格納され、少なくとも１つの第２のデータレコードのデスクリプタ及び／又はデスクリプタの音声学的記述が、少なくとも１つの第２の言語で格納される。データレコードを確認するための少なくとも１つの言語が規定されて、デスクリプタ言語が少なくとも１つの規定された言語と一致するデータレコードだけが、出力される。これは、有利なことに、検索基準及び出力されるデータレコード数を制限することが可能であることを意味する。
【００１０】
本発明の方法の別の改良において、文字形式で入力された名称の音声学的書き換えが、少なくとも１つの言語で実行されるが、この少なくとも１つの言語は、音声学的書き換えのために、及び／又は音声学的記述の比較のために規定される。有利なことに、これによって、この方法を様々なユーザ言語に柔軟にカスタマイズ及び拡張することが可能になる。
【００１１】
例として、可能性があるデータレコードは、文字形式での入力中に連続的に確認されて分類リストとして出力され、可能性があるデータレコードを備えたリストは、さらなる文字の入力中に連続的に減少される。確認されたデータレコードは、アルファベット順に、及び／又は関連づけられた確率の程度によって分類できるのが好ましい。
【００１２】
本発明の方法の別の改良において、メモリに格納された少なくとも１つのデータレコードは、ナビゲーションシステム用の可能性がある目的地を表わす。例として、少なくとも１つのデータレコードには、町名、及び／又は道路名、及び／又はたとえば、アトラクション、ホテル、ガソリンスタンドなどの興味のある場所の名称を含むＰＯＩ名がデスクリプタとして含まれる。１つのデータレコードを、ナビゲーションシステム用の目的地として、確認及び出力されたデータレコードから選択することができる。さらに、少なくとも１つのデータレコードには、政治結社、名称の接辞、郵便番号、郵便番号地域、地方網番号、連邦州、住民数、地理的な符号化などを含んでもよい。
【００１３】
本発明の方法の別の改良において、データレコードを確認するための、及び／又は音声学的書き換えのための少なくとも１つの言語は、ナビゲーションシステムの地理的位置に基づいて規定される。
【００１４】
デスクリプタとデスクリプタの音声学的記述を備えた少なくとも１つのエントリとを含む少なくとも１つのデータレコードを格納するメモリからデータレコードを検出及び出力するための関連する装置には、少なくとも１つのデータレコードを示す名称を文字形式で入力するための入力ユニットと、確認されたデータレコードを出力するための出力ユニットと、入力名称の音声学的記述を生成するために、文字形式で入力された名称の音声学的書き換えを実行する変換ユニットと、評価及び制御ユニットであって、入力名称の音声学的記述を、それぞれのデータレコードの少なくとも１つのエントリにおけるデスクリプタの音声学的記述と比較し、かつ少なくとも１つのデータレコードであって、デスクリプタの音声学的記述を備えたエントリが、規定できる程度の確率を伴って入力名称の音声学的記述と一致する少なくとも１つのデータレコードを確認し、かつその少なくとも１つの確認されたデータレコードを出力ユニットへ送信する評価及び制御ユニットと、が含まれる。
【００１５】
本発明の装置の１つの改良において、装置の地理的位置を確認する位置検出ユニットが設けられる。
【発明を実施するための最良の形態】
【００１６】
本発明の有利な実施形態を図面に示し、下記で説明する。図１は、メモリからデータレコードを検出及び出力するための本発明の装置のブロック図を示す。
【００１７】
図から分かるように、メモリ１０からデータレコードを検出及び出力するための本発明の装置１には、入力ユニット３０、変換ユニット４０、評価及び制御ユニット５０、並びに出力ユニット６０が含まれる。図示の例示的な実施形態において、メモリ１０に格納されたデータレコードは、そのうちの２つのデータレコード２０、２０’が例として示されており、ナビゲーションシステム８０用の可能性がある目的地を表わす。メモリ１０に格納されたデータレコード２０、２０’には、それぞれ、デスクリプタ２２、２２’と、関連するデータレコード２０、２０’のデスクリプタ２２、２２’の音声学的記述を備えた少なくとも１つのエントリ２４、２４’と、関連する目的地についての情報２６、２６’と、が含まれ、前記情報には、たとえば、名称の接辞、郵便番号、郵便番号地域、地方網番号、連邦州、住民数、地理的な符号化などが含まれる。デスクリプタ２２、２２’として、少なくとも１つのデータレコード２０、２０’には、町名、及び／又は道路名、及び／又はたとえば、アトラクション、ホテル、ガソリンスタンドなどの興味ある場所の名称を含むＰＯＩ名が含まれる。本発明は、格納されたデータレコード２０、２０’から少なくとも１つのデータレコード２０、２０’を、ナビゲーションシステム８０用の目的地として確認する。
【００１８】
目的地を選択するために、ユーザは入力ユニット３０を用い、文字形式の名称として所望の目的地を入力する。前記名称は、メモリ１０における少なくとも１つのデータレコード２０、２０’を示す。変換ユニット４０は、入力名称の音声学的記述を生成するために、文字形式で入力された名称の音声学的書き換えを実行する。音声学的書き換えは、文字形式で入力された文字及び／又は文字形式で入力された文字群に音素を割り当て、その結果、名称の音声学的記述が、少なくとも１つの音素を含む一連の音素によって表現される。評価及び制御ユニット５０は、入力名称の音声学的記述を、それぞれのデータレコード２０、２０’の少なくとも１つのエントリ２４、２４’におけるデスクリプタ２２、２２’の音声学的記述と比較し、かつ少なくとも１つのデータレコード２０、２０’であって、デスクリプタ２２、２２’の音声学的記述を備えたエントリ２４、２４’が、規定できる程度の確率を伴って入力名称の音声学的記述と一致する少なくとも１つのデータレコード２０、２０’を確認し、かつその少なくとも１つの確認されたデータレコード２０、２０’を出力ユニット６０へ出力のために送信する。確認及び出力されたデータレコード２０、２０’から、ユーザは、ナビゲーションシステム８０用の目的地として１つのデータレコードを選択することができる。
【００１９】
データレコード２０、２０’のデスクリプタ２２、２２’及び／又はデスクリプタ２２、２２’の音声学的記述は、複数の異なる言語で格納することができ、第１のデータレコード２２のデスクリプタ及び／又は音声学的記述２４は、少なくとも第一言語で格納され、第２のデータレコード２０’のデスクリプタ２２’及び／又は音声学的記述２４’は、少なくとも第２の言語で格納されるようにできる。データレコード２０、２０’を確認するための言語を規定することができ、その結果、評価及び制御ユニット５０は、デスクリプタ言語が少なくとも１つの規定された言語と一致するデータレコード２０、２０’だけを確認する。文字形式で入力された名称の音声学的書き換え及び音声学的記述の比較はまた、様々な規定可能な言語で実行することができる。
【００２０】
データレコードを確認するための、及び／又は音声学的書き換えのための、及び／又は音声学的記述の比較のための少なくとも１つの言語は、ナビゲーションシステム８０の地理的位置に基づいて規定されるが、それは、例として、たとえばＧＰＳシステムなどの位置検出ユニット７０によって確認される。さらに、本発明の装置の動作用の言語は、装置が動作されている国の言語に基づいて基本設定として規定することができる。
【００２１】
図示の例示的な実施形態において、評価及び制御ユニット５０は、文字形式における名称の入力中に、出力される可能性があるデータレコード２０、２０’を確認し、可能性があるデータレコードを分類リストとして出力する。さらに、可能性があるデータレコード２０、２０’を備えたリストは、確認された音素に適用されるいわゆる「スペル照合（ｓｐｅｌｌｍａｔｃｈｉｎｇ）プロセス」によって、さらなる文字の入力中に連続的に減少させることができる。確認されたデータレコード２０、２０’は、出力ユニット６０によって、アルファベット順に及び／又は関連づけられた確率の程度に従って分類することができる。
【００２２】
入力が文字形式である方法及び装置に関して、本発明は、名称又はデスクリプタの音声学的記述を用いて、同様に発音されるが異なって書かれるデスクリプタを備えた、可能性があるデータレコードのリストを作成する。これによって、ユーザは、まるでユーザが名称を音響的にまさに理解しているように名称が書かれているかのように、名称たとえば地名を不正確に書くことができるようになる。有利なことに、この「擬似音声学的」書き込み入力を音声学的記述に変換することによって、文字形式での入力と同様にデスクリプタが発音されるデータレコードに、書き込まれた入力を関連付けることが可能になる。例として、「Ｂｏｅｒｍｉｎｇｈａｅｍｍ」が文字形式で入力された場合には、デスクリプタ「バーミンガム（Ｂｉｒｍｉｎｇｈａｍ）」を備えたデータレコードを、メモリからユーザに出力することができる。
【図面の簡単な説明】
【００２３】
【図１】メモリからデータレコードを検出及び出力するための本発明の装置のブロック図を示す。
【図１】
2009517747.tif 000003
【国際調査報告】
2009517747.tif 000004
2009517747.tif 000005
2009517747.tif 000006
2009517747.tif 000007
2009517747.tif 000008
2009517747.tif 000009